(57)【要約】【課題】センサの出力信号を増幅器により増幅して利用する際に、増幅器の出力信号が安定するまでに要する時間が長くなることを避けつつ、増幅器の出力信号におけるＳ／Ｎ比を向上させる。【解決手段】帯域幅の切り換えが可能な増幅器を用いてセンサの出力信号を増幅する。そして、例えば電源投入によりセンサから増幅器への信号入力が開始されてから一定時間Ｔの間は当該増幅器を広帯域で動作させ、その後、当該増幅器を狭帯域で動作させる。【選択図】図３
2014107730.tif 000002
【特許請求の範囲】
【請求項１】
帯域幅の切り換えが可能な増幅器と、
前記増幅器への信号入力の開始から一定時間は前記増幅器を広帯域で動作させ、その後、前記増幅器を狭帯域で動作させる制御部と、
を有することを特徴とする信号処理装置。
【請求項２】
前記制御部は、複数のセンサの各々を前記増幅器に対する信号入力元として選択するとともに、当該選択した信号入力元からの信号入力の開始を契機として前記増幅器を広帯域で動作させることを特徴とする請求項１に記載の信号処理装置。
【請求項３】
前記制御部は、選択した信号入力元が予め定められた種類のセンサである場合には、当該信号入力元からの信号入力の開始から一定時間後に前記増幅器の帯域幅を狭帯域に切り換えることを特徴とする請求項２に記載の信号処理装置。
【請求項４】
帯域幅の切り換えが可能な増幅器であって、当該増幅器への信号入力の開始を検知し、信号入力の開始から一定時間は広帯域で動作し、その後狭帯域で動作する増幅器。
【発明の詳細な説明】
【技術分野】
【０００１】
本発明は、センサの出力信号を増幅する技術に関する。
【背景技術】
【０００２】
近年、地磁気センサや加速度センサなどの各種センサの利用が急速に普及している。例えば、スマートフォンなどの携帯端末にこの種のセンサを設け、センサにより検出された方位や加速度を利用して各種のサービスを提供するといった具合である。この種のセンサの出力信号は微弱であるため、増幅器による増幅を経て使用されることが一般的である（特許文献１参照）。
【先行技術文献】
【特許文献】
【０００３】
【特許文献１】特開平１１−１４４１８７号公報
【発明の概要】
【発明が解決しようとする課題】
【０００４】
従来、センサの出力信号を増幅器により増幅する場合、増幅可能な周波数帯域を固定で動作させる（すなわち、高速動作させる場合には増幅器を広帯域で動作させる）ことが多かった。その理由は以下の通りである。図７（ａ）には、増幅器を狭帯域で動作させた場合と広帯域（狭帯域の４倍の帯域幅）で動作させた場合の各々における増幅器の周波数特性を示すグラフが図示されており、図７（ｂ）には、狭帯域の場合と広帯域の場合の各々における増幅器のセトリング時間を示すグラフが図示されている。セトリング時間とは、矩形波状のステップ入力を増幅器に与えてから、当該増幅器の出力が収束するまでに要する時間（すなわち、増幅器の出力信号が安定するまでに要する時間）である。図７（ｂ）に示すように、広帯域の場合の方がセトリング時間は短くなる。物理的な状態をセンサで検出し、センサの出力信号を用いて何らかの装置を制御する場合、状態の変化を短い遅延で検出して制御に反映させるためには、センサの出力信号を増幅する増幅器を広帯域で動作させ、セトリング時間を短くする必要がある。しかしながら、増幅器を広帯域で動作させるとノイズも増幅され、増幅器を狭帯域で動作させる場合に比較して、増幅後の信号のＳ／Ｎ比が低下し、センサの出力信号の微小な変化を拾えなくなるといった問題がある。
【０００５】
本発明は上記課題に鑑みてなされたものであり、センサの出力信号を増幅器により増幅して利用する際に、増幅器の出力信号が安定するまでに要する時間が長くなることを避けつつ、Ｓ／Ｎ比を向上させることを解決課題とする。
【課題を解決するための手段】
【０００６】
上記課題を解決するために、本発明に係る信号処理装置は、帯域幅の切り換えが可能な増幅器と、前記増幅器への信号入力の開始から一定時間は前記増幅器を広帯域で動作させ、その後、前記増幅器を狭帯域で動作させる制御部とを有することを特徴とする。また、信号処理装置に用いる増幅器は、帯域幅の切り換えが可能な増幅器であって、当該増幅器への信号入力の開始を検知し、信号入力の開始から一定時間は広帯域で動作し、その後狭帯域で動作するものであっても良い。
【０００７】
本発明の信号処理装置に含まれる増幅器によりセンサの出力信号を増幅するようにすれば、例えば電源投入などによってセンサへの給電が開始され当該センサから増幅器への信号入力が開始されると、当該増幅器は信号入力の開始から一定時間の間は広帯域で動作する。このため、当該増幅器を狭帯域で動作する場合に比較してセトリング時間は短くなる。そして、信号入力開始から一定時間経過後は上記増幅器を狭帯域で動作させるため、広帯域で動作させ続ける場合に比較してＳ／Ｎ比を高くすることができる。このように本発明の信号処理装置によれば、センサの出力信号を増幅器により増幅して利用する際に、増幅器の出力信号が安定するまでに要する時間が長くなることを避けつつ、Ｓ／Ｎ比を向上させることができる。
【０００８】
ここで、上記一定時間の長さについては、広帯域で動作している状態の増幅器にステップ入力を与えてから、増幅器の出力信号が当該ステップ入力に応じた収束値の９９％程度になるまでの時間を実測（或いは数値シミュレーション）により求め、当該時間の長さを上記一定時間として用いるようにすれば良い。ここで、１パーセント程度の余裕を持たせたのは、信号入力開始時点から広帯域および狭帯域での動作を経て増幅器の出力信号が安定するまでに要する時間（トータルのセトリング時間）を短くするためである。この点については後に詳細に説明する。
【０００９】
より好ましい態様においては、複数のセンサの各々を前記増幅器に対する信号入力元として選択するとともに、当該選択した信号入力元からの信号入力の開始を契機として前記増幅器を広帯域で動作させる処理を前記制御部に実行させる態様が考えられる。本態様によれば、増幅器を狭帯域のまま動作させ続ける場合に比較してセトリング時間を短くすることができる。なお、信号入力元の切り換え前後で切り換え前の信号入力元と切り換え後の信号入力元が各々同じ値の信号を出力している場合には、増幅器の増幅率を変化させる（換言すれば、増幅器の内部状態を変化させる）必要はなく、さらには、増幅器の帯域幅を広帯域に切り換えてセトリングを行う必要もない。このため、複数のセンサの各々を前記増幅器に対する信号入力元として選択するとともに、信号入力元の切り換えに応じて増幅器の内部状態が変化する場合に限って当該選択した信号入力元からの信号入力の開始を契機として増幅器を広帯域で動作させる処理を制御部に実行させても勿論良い。ところで、信号入力元の切り換え前後で切り換え前の信号入力元と切り換え後の信号入力元が各々同じ値の信号を出力していることは稀である。このため、信号入力元の切り換えが発生する毎に増幅器の内部状態に変化が生じたか否かを問わずに増幅器の帯域幅を広帯域に切り換える処理を制御部に実行させたとしても特段の問題は生じず、増幅器の内部状態の変化の有無の判定を行わない分だけ制御部の処理が簡略化される。さらに好ましい態様としては、選択した信号入力元が予め定められた種類のセンサである場合には、当該信号入力元からの信号入力の開始から一定時間後に前記増幅器の帯域幅を狭帯域に切り換える処理を制御部に実行させる態様が考えられる。例えば、上記複数のセンサに地磁気センサと加速度センサが含まれている場合には、地磁気センサが信号入力元として選択された場合には上記狭帯域への切り換えを制御部に実行させるのである。地磁気センサの出力信号は加速度センサの出力信号に比較して微弱であることが多く、ノイズの影響が大きいと考えられるからである。
【図面の簡単な説明】
【００１０】
【図１】本発明の第１実施形態の信号処理装置の構成例を示すブロック図である。
【図２】同装置に含まれる増幅器の構成例を示す回路図である。
【図３】同装置に含まれる制御部の動作を説明するためのタイミングチャートである。
【図４】帯域幅の切り換えタイミングとトータルのセトリング時間の長さとの関係を説明するための図である。
【図５】本発明の第２実施形態の信号処理装置に用いる増幅器に含まれるオペアンプの構成例を示す回路図である。
【図６】本発明の第３実施形態の信号処理装置に用いる増幅器の構成例を示す回路図である。
【図７】増幅器の周波数帯域とセトリング時間の関係を示す図である。
【発明を実施するための形態】
【００１１】
以下、図面を参照しつつ、本発明の実施形態について説明する。
＜１．第１実施形態＞
図１は、本発明の第１実施形態の信号処理装置１０の構成例を示すブロック図である。
信号処理装置１０は、センサ２０−１〜２０−４の各々を信号入力元として順次選択し、選択した信号入力元から与えられる差動信号を増幅してＡ／Ｄ変換器３０に供給する。センサ２０−１、２０−２および２０−３の各々は地磁気センサであり、同一の構成である。図１では、センサ２０−１についてのみ具体的な構成例が図示されている。これら地磁気センサは、４個の巨大磁気抵抗素子（Giant Magneto Resistive effct）ＧＭＲをブリッジ接続して構成されている。本実施形態では、センサ２０−１、２０−２および２０−３によって３軸の地磁気センサが形成される。センサ２０−４は３軸の加速度センサであり、各軸方向の加速度の成分を表す３組の差動信号を出力する。
【００１２】
信号処理装置１０は、図１に示すように、スイッチ１１０−ｎ（ｎ＝１〜４）およびスイッチ１１２−ｎ（ｎ＝１〜４）と、増幅器１２０と、制御部１３０と、を含んでいる。スイッチ１１０−ｎはセンサ２０−ｎの一方の信号出力端と増幅器１２０の一方の信号入力端の間に介挿されており、スイッチ１１２−ｎはセンサ２０−ｎの他方の信号出力端と増幅器１２０の他方の信号入力端の間に介挿されている。スイッチ１１０−ｎおよびスイッチ１１２−ｎのオン／オフの切り換えは、制御部１３０から出力される選択信号ＳＥＬ−ｎによって行われる。例えば、選択信号ＳＥＬ−ｎがＨレベルであればスイッチ１１０−ｎおよびスイッチ１１２−ｎは共にオンとなり、選択信号ＳＥＬ−ｎがＬレベルであればスイッチ１１０−ｎおよびスイッチ１１２−ｎは共にオフとなる、といった具合である。本実施形態では、スイッチ１１０−ｎおよびスイッチ１１２−ｎのオン／オフ制御によって、増幅器１２０に対する信号入力元の切り換えが実現される。例えば、センサ２０−１を信号入力元として選択する場合には、スイッチ１１０−１およびスイッチ１１２−１をオンにし、かつスイッチ１１０−ｎ（ｎ＝２〜４）およびスイッチ１１２−ｎ（ｎ＝２〜４）をオフにすれば良い。
【００１３】
増幅器１２０は、図１に示すように、オペアンプ１２２ａおよび１２２ｂと、抵抗１２４、１２６および１２８を含んでいる。オペアンプ１２２ａの正相入力端には、スイッチ１１０−ｎ（ｎ＝１〜４）およびスイッチ１１２−ｎ（ｎ＝１〜４）のオン／オフ制御により選択された信号入力元の出力する差動信号の一方が与えられ、オペアンプ１２２ｂの正相入力端には、同差動信号の他方が与えられる。オペアンプ１２２ａの出力端と逆相入力端との間には抵抗１２４が介挿されており、オペアンプ１２２ｂの出力端と逆相入力端との間には抵抗１２６が介挿されている。そして、オペアンプ１２２ａの逆相入力端とオペアンプ１２２ｂの逆相入力端とは、抵抗１２８を介して接続されている。抵抗１２４および抵抗１２６の各々の抵抗値がＲであり、抵抗１２８の抵抗値がｒであり、オペアンプ１２２ａの正相入力端には電圧Ｖｐが与えられ、オペアンプ１２２ｂの正相入力端には電圧Ｖｎが与えられるとすると、増幅器１２０は電圧差（Ｖｐ−Ｖｎ）を以下の式（１）に示すように増幅して出力する。なお、以下の式（１）において電圧Ｖｏｐはオペアンプ１２２ａの出力電圧であり、電圧Ｖｏｎはオペアンプ１２２ｂの出力電圧である。
Ｖｏｐ−Ｖｏｎ＝（２Ｒ／ｒ＋１）（Ｖｐ−Ｖｎ）・・・（１）
本実施形態では、抵抗１２４および抵抗１２６の各々の抵抗値Ｒと抵抗１２８の抵抗値ｒを調整することで増幅器１２０の増幅率が制御される。抵抗１２４、１２６および１２８の各々の抵抗値の調整は制御部１３０によって行われる。
【００１４】
本実施形態では、オペアンプ１２２ａおよび１２２ｂとして、帯域幅の制御が可能なオペアンプが用いられている。このため、増幅器１２０の帯域幅も可変である。本実施形態では、制御部１３０から与えられる帯域制御信号ＳＢに応じてオペアンプ１２２ａおよび１２２ｂの帯域幅を切り換えることで、増幅器１２０の帯域幅の切り換えが実現される。具体的には、Ｈレベルの帯域制御信号ＳＢが制御部１３０から与えられた場合には、オペアンプ１２２ａおよび１２２ｂは広帯域で動作し（すなわち、増幅器１２０は広帯域で動作し）、Ｌレベルの帯域制御信号ＳＢが制御部１３０から与えられた場合には、オペアンプ１２２ａおよび１２２ｂは狭帯域で動作する（すなわち、増幅器１２０は狭帯域で動作する）、といった具合である。
【００１５】
オペアンプ１２２ａの構成とオペアンプ１２２ｂの構成は同一である。よって、以下では、オペアンプ１２２ａと１２２ｂを区別する必要がない場合には「オペアンプ１２２」と表記する。図２は、オペアンプ１２２の構成例を示す回路図である。図２に示すように、オペアンプ１２２は、差動増幅回路１２１０と、オペアンプ１２２の出力段を為す出力回路１２２０と、差動増幅回路１２１０および出力回路１２２０に流れる電流を制御するための電流制御部１２３０とを含んでいる。
【００１６】
差動増幅回路１２１０は、オペアンプ１２２の正相入力端に与えられる信号ＩＰと同逆相入力端に与えられる信号ＩＮの差動増幅を行う回路である。図２に示すように、差動増幅回路１２１０は、ＰチャネルトランジスタＰ１およびＰ２と、ＮチャネルトランジスタＮ１、Ｎ２およびＮ４により構成されている。ＰチャネルトランジスタＰ１およびＰ２の各々のソースは高電位側電源ＶＰＰに接続されており、各々のゲートはＰチャネルトランジスタＰ１のドレインに接続されている。ＰチャネルトランジスタＰ１のドレインにはＮチャネルトランジスタＮ１のドレインが接続されており、ＰチャネルトランジスタＰ２のドレインにはＮチャネルトランジスタＮ２のドレインが接続されている。ＰチャネルトランジスタＰ２のドレインとＮチャネルトランジスタＮ２のドレインの共通接続点は差動増幅回路１２１０の出力端となっている。ＮチャネルトランジスタＮ１およびＮ２の各々のソースは共通接続されており、この共通接続点と低電位側電源ＶＳＳの間にはＮチャネルトランジスタＮ４が介挿されている。ＮチャネルトランジスタＮ１およびＮ２の各々のゲートには信号ＩＮおよびＩＰが夫々与えられ、ＮチャネルトランジスタＮ１とＮ２は差動トランジスタペアを構成する。ＰチャネルトランジスタＰ１およびＰ２は、それぞれＮチャネルトランジスタＮ１およびＮ２の負荷となっているとともに、カレントミラー回路を形成する。
【００１７】
出力回路１２２０は、高電位側電源ＶＤＤと低電位側電源ＶＳＳの間に直列に介挿されＰチャネルトランジスタＰ３およびＮチャネルトランジスタＮ３を含んでおり、ＰチャネルトランジスタＰ３のドレインとＮチャネルトランジスタＮ３のドレインの共通接続点が出力回路１２２０の出力端となっている。ＰチャネルトランジスタＰ３のゲートは差動増幅回路１２１０の出力端に接続されており、両者の共通接続点と出力回路１２２０の出力端との間には、位相補償のための抵抗１２２２およびキャパシタ１２２４が直列に介挿されている。
【００１８】
電流制御部１２３０は、出力電流の電流値を切り換え可能な電流源回路１２３２と低電位側電源ＶＳＳに間にＮチャネルトランジスタＮ５を介挿して構成されている。電流源回路１２３２には、帯域制御信号ＳＢが与えられる。電流源回路１２３２は、Ｌレベルの帯域制御信号ＳＢを与えられた場合には電流値Ｉ１の電流を出力し、Ｈレベルの帯域制御信号を与えられた場合には電流値Ｉ１よりも大きい電流値Ｉ２（例えば、Ｉ２＝２×Ｉ１）の電流を出力する。ＮチャネルトランジスタＮ５のゲートは、電流源回路１２３２とＮチャネルトランジスタＮ５のドレインの共通接続点に接続されており、この共通接続点にはＮチャネルトランジスタＮ３およびＮ４の各々のゲートが接続されている。つまり、ＮチャネルトランジスタＮ５は、ＮチャネルトランジスタＮ３とカレントミラー回路を形成するとともに、ＮチャネルトランジスタＮ４とカレントミラー回路を形成する。このため、電流源回路１２３２の出力電流の電流値をＩｒｅｆとすると、差動増幅回路１２１０には、当該電流値ＩｒｅｆにＮチャネルトランジスタＮ５とＮ４のトランジスタサイズの比を乗算した電流値の電流が流れ、出力回路１２２０にはＮチャネルトランジスタＮ５とＮ３のトランジスタサイズの比を乗算した電流値の電流が流れる。出力回路１２２０および差動増幅回路１２１０に流れる電流が大きい程、各トランジスタのゲートに付随する寄生容量に高速に充電できる。このため、電流が大きい程、オペアンプ１２２の帯域幅は広くなる。よって、オペアンプ１２２は、Ｈレベルの帯域制御信号ＳＢを与えられると広帯域で動作し、Ｌレベルの帯域制御信号ＳＢを与えられると狭帯域で動作するのである。
【００１９】
制御部１３０は、増幅器１２０への信号入力の開始から一定時間Ｔの間は当該増幅器１２０を広帯域で動作させ、その後、狭帯域で動作させる制御を行う。より詳細に説明すると、センサ２０−ｎ（ｎ＝１〜４）、信号処理装置１０およびＡ／Ｄ変換器３０を含むシステムの電源投入を契機として、制御部１３０は、まず、センサ２０−１を選択し、当該センサ２０−１の出力信号の最大値がＡ／Ｄ変換器３０の入力可能電圧の最大値に対応するように増幅器１２０の増幅率を設定する。これにより、センサ２０−１から増幅器１２０への信号入力が開始される。制御部１３０は、電源投入後一定時間Ｔの間（すなわち、センサ２０−１からの信号入力開始から一定時間Ｔの間）、帯域制御信号ＳＢをＨレベルとし、その後、帯域制御信号をＬレベルとする（図３参照）。
【００２０】
その結果、電源投入から一定時間Ｔが経過するまでの間は、増幅器１２０は広帯域で動作し、その後、狭帯域で動作する。なお、一定時間Ｔの長さについては、広帯域で動作している状態の増幅器１２０にステップ入力を与えてから増幅器１２０の出力が収束値の９９％程度となるまでの時間を予め実測（あるいは数値シミュレーション）により求め、当該時間の長さを一定時間Ｔとして用いるようにすれば良い。ここで、１パーセント程度の余裕を持たせた理由は以下の通りである。図４（ａ）に示すように、増幅器１２０を広帯域で動作させ、増幅器１２０の出力が飽和するのを待って広帯域から狭帯域への切り換えを行うことは勿論可能である。例えば、増幅器１２０の出力が十分に飽和するまでの時間を実測（あるいは数値シミュレーション）により求め、この時間の長さを一定時間Ｔとして用いるようにすれば良い。しかしながら、この場合、広帯域から狭帯域への帯域切り換えによって増幅器のオフセットが変動し、図４（ａ）に示すように、狭帯域への切り換え後に増幅器１２０の出力が飽和するのを待たねばならない。これに対して、図４（ｂ）に示すように、増幅器１２０の出力が収束値の９９％程度に達したときに広帯域から狭帯域へ切り換えるようにすれば、トータルのセトリング時間を短くすることができる。このように、トータルのセトリング時間を短くするため、１％程度の余裕を持たせて一定時間Ｔの長さを定めたのである。
【００２１】
図７（ｂ）に示したように、増幅器は広帯域で動作させた場合の方が狭帯域で動作させた場合に比較して、セトリング時間が短くなるものの、Ｓ／Ｎ比は低下する。この点は、増幅器１２０についても同様である。本実施形態において、電源投入後一定時間Ｔに亙って増幅器１２０を広帯域で動作させるのはセットリング時間を短くするためである。そして、一定時間Ｔの経過後増幅器１２０を狭帯域で動作させるのは、増幅器１２０の出力信号におけるＳ／Ｎ比を高くするためである。
【００２２】
以上説明したように電源投入時の増幅器１２０のセットリングを完了すると、制御部１３０は、後段回路から指示等に応じてスイッチ１１０−ｎ（ｎ＝１〜４）およびスイッチ１１２−ｎ（ｎ＝１〜４）のオン／オフを切り換えて増幅器１２０に対する信号入力元を切り換える。この切り換えの際に、制御部１３０は帯域制御信号ＳＢをＨレベルに切り換え、増幅器１２０を再度広帯域で動作させる。そして、制御部１３０は信号入力元の切り換えから一定時間経過後に帯域制御信号ＳＢをＬレベルに切り換え、増幅器１２０を狭帯域で動作させる。つまり、本実施形態では、増幅器１２０に対する信号入力元を切り換える毎に増幅器１２０を一旦広帯域で動作させ、信号入力元の切り換えから一定時間が経過した時点で増幅器１２０の帯域幅を狭帯域に切り換える処理が制御部１３０によって実行される。前述したように、信号入力元の切り換えに伴うトータルのセトリング時間を短くしつつ、高いＳ／Ｎ比を得られるようにするためである。もっとも、信号入力元の切り換え前後で切り換え前の信号入力元と切り換え後の信号入力元が各々同じ値の信号を出力している場合には、増幅器１２０の増幅率を変化させる（換言すれば、増幅器１２０の内部状態を変化させる）必要はなく、増幅器１２０を再度セトリングする必要はない。したがって、信号入力元の切り換えに応じて増幅器１２０の内部状態が変化する場合にのみ、信号入力の開始を契機として増幅器１２０を広帯域で動作させ、一定時間経過後に増幅器１２０の帯域幅を狭帯域に切り換える処理を制御部１３０に実行させることも勿論考えられる。しかし、信号入力元の切り換え前後で切り換え前の信号入力元と切り換え後の信号入力元が各々同じ値の信号を出力していることは稀であり、信号入力元の切り換えが発生する毎に増幅器１２０の内部状態に変化が生じたか否かを問わずに増幅器の帯域幅を一旦広帯域に切り換え、一定時間経過後に狭帯域に切り換える処理を制御部１３０に実行させたとしても特段の問題は生じず、制御部１３０に実行させる処理を簡略化することができる。このため、本実施形態では、増幅器１２０に対する信号入力元を切り換える毎に増幅器１２０を一旦広帯域で動作させ、信号入力元の切り換えから一定時間が経過した時点で増幅器１２０の帯域幅を狭帯域に切り換える処理を制御部１３０に実行させるようにしたのである。また、信号入力元の切り換えが発生する毎に増幅器１２０を広帯域で動作させるものの、信号入力の開始から一定時間Ｔ経過後の狭帯域への切り換えについては、新たな信号入力元が予め定められた種類のセンサである場合に実行するようにしても良い。例えば、信号入力元を加速度センサに切り換えた場合には狭帯域への切り換えを行わず、地磁気センサに切り換えた場合には狭帯域への切り換えを行うといった具合である。地磁気センサの出力信号は加速度センサの出力信号に比較して微弱であることが多く、ノイズの影響が大きいと考えられる一方、加速度センサについてはノイズの影響が小さく、増幅器１２０を広帯域のまま動作させ続けても大きな問題は生じないと考えられるからである。
【００２３】
このように、本実施形態によれば、センサ２０−ｎ（ｎ=１〜４）の各々の出力信号を増幅器１２０により増幅してＡ／Ｄ変換器３０に与える際に、増幅器１２０の出力信号が安定するまでに要する時間が長くなることを避けつつ、Ｓ／Ｎ比を向上させることが可能になる。また、本実施形態によれば、増幅器１２０への信号入力開始から出力信号が安定するまでに要する時間を短くすることができるため、センサ等による測定時に回路を起動して測定を行い、測定し終わったら回路を停止するような使用法に有利となる。
【００２４】
＜２．第２実施形態＞
次いで本発明の第２実施形態について説明する。本実施形態は、センサ２０−ｎの出力信号を増幅する増幅器を、前掲図２の構成のオペアンプ１２２に換えて図５に示すオペアンプ２２２を用いて構成した点が第１実施形態と異なる。図５では、図２におけるものと同一の構成要素には同一の符号が付されている。図２と図５を対比すれば明らかなように、オペアンプ２２２は、電流制御部１２３０に換えて電流制御部２２３０を有している点がオペアンプ１２２と異なる。そして、電流制御部２２３０は、電流源回路１２３２に換えて電流源回路２２３２を設けた点と、ＮチャネルトランジスタＮ５´、スイッチ２２３４ａおよび２２３４ｂを新たに設けた点が電流制御部１２３０と異なる。
【００２５】
電流源回路２２３２は、定電流源回路であり、固定の電流値の電流を出力する。電流源回路２２３２とＮチャネルトランジスタＮ５のドレインの共通接続点と低電位側電源ＶＳＳとの間には、スイッチ２２３４ａおよび２２３４ｂが直列に介挿されている。また、当該共通接続点と低電位側電源ＶＳＳとの間にはＮチャネルトランジスタＮ５´が介挿されている。そして、ＮチャネルトランジスタＮ５´のゲートは、スイッチ２２３４ａとスイッチ２２３４ｂの共通接続点に接続されている。
【００２６】
スイッチ２２３４ａおよび２２３４ｂは帯域制御信号ＳＢの信号レベルに応じてオン／オフが切り換えられるスイッチである。本実施形態では、Ｈレベルの帯域制御信号ＳＢが与えられた場合には、スイッチ２２３４ａはオフに、スイッチ２２３４ｂはオンになる。逆に、Ｌレベルの帯域制御信号ＳＢが与えられた場合には、スイッチ２２３４ａはオンに、スイッチ２２３４ｂはオフになる。スイッチ２２３４ａをオフとし、スイッチ２２３４ｂをオンとした状態（第１の状態）では、ＮチャネルトランジスタＮ５´はオフとなる。この様態では、電流源回路２２３２の出力電流は全てＮチャネルトランジスタＮ５を介して低電位側電源ＶＳＳに流れる。
【００２７】
これに対して、スイッチ２２３４ａをオンとし、スイッチ２２３４ｂをオフとした状態（第２の状態）では、ＮチャネルトランジスタＮ５´はオンとなり、電流源回路２２３２の出力電流はＮチャネルトランジスタＮ５およびＮ５´の各々を介して低電位側電源ＶＳＳに流れる。つまり、ＮチャネルトランジスタＮ５´とＮチャネルトランジスタＮ５が同じサイズの場合には、第２の状態においては、ＮチャネルトランジスタＮ５に流れる電流の電流値は第１の状態の半分になり、ＮチャネルトランジスタＮ３およびＮチャネルトランジスタＮ４の各々に流れる電流の電流値も半分になる。つまり、本実施形態では、スイッチ２２３４ａおよびスイッチ２２３４ｂのオン／オフを切り替えることで、出力回路１２２０および差動増幅回路１２１０に流れる電流の電流値が切り換えられ、オペアンプ２２０を含む増幅器の帯域幅が切り替えられる。
【００２８】
本実施形態においても、電源投入を契機としてセンサ２０−１を選択し、図３に示すように帯域制御信号ＳＢの信号値を切り換える処理を制御部１３０に実行させることで、本実施形態の増幅器の出力信号が安定するまでに要する時間が長くなることを避けつつ、Ｓ／Ｎ比の低下を回避することが可能になる。
【００２９】
＜３．第３実施形態＞
上述した第１および第２実施形態では、センサ２０−ｎの出力信号を増幅するための増幅器に含まれるオペアンプの差動増幅回路および出力回路に流れる電流の電流値を切り換えることで、当該増幅器の帯域幅を切り換える場合について説明した。しかし、オペアンプとともに増幅器を形成する帰還抵抗および入力抵抗の抵抗値を切り換えることで帯域幅の切り換えを実現しても良い。これら抵抗値の切り換えにより帯域幅の切り換えを実現する構成の一例としては、図１における増幅器１２０に換えて、図６に示す増幅器３２０を用いる構成が考えられる。
【００３０】
増幅器３２０は、図６に示すように、オペアンプ３２２ａおよび３２２ｂと、抵抗３２４ａ〜３２４ｉと、スイッチ３２６ａ〜３２６ｆと、キャパシタ３２８ａおよび３２８ｂを含んでいる。抵抗３２４ａ〜３２４ｆの各々の抵抗値は何れもＲであり、抵抗３２４ｇ〜３２４ｉの各々の抵抗値は何れもｒである。また、キャパシタ３２８ａおよび３２８ｂの各々の容量は共にＣである。なお、抵抗３２４ａ〜３２４ｆの各々の抵抗値が全て同じである必要はなく、また、抵抗３２４ｇ〜３２４ｉの各々の抵抗値も全て同じである必要はない。抵抗３２４ａおよび抵抗３２４ｆの各々の抵抗値をＲ１、抵抗３２４ｂおよび抵抗３２４ｅの各々の抵抗値をＲ２、抵抗３２４ｃおよび抵抗３２４ｄの各々の抵抗値をＲ３、抵抗３２４ｇ、３２４ｈ、３２４ｉのそれぞれの抵抗値をｒ１、ｒ２、ｒ３としたときに、Ｒ１：Ｒ２：Ｒ３＝ｒ１：ｒ２：ｒ３となっていれば良い。
【００３１】
オペアンプ３２２ａおよび３２２ｂは、第１実施形態におけるオペアンプ１２２や第２実施形態におけるオペアンプ２２２とは異なり、帯域幅を切り換えるための構成を有していない。オペアンプ３２２ａの出力端と逆相入力端の間にはキャパシタ３２８ａが介挿されている。オペアンプ３２２ａの逆相入力端およびキャパシタ３２８ａの共通接続点とオペアンプ３２２ａの出力端の間には、抵抗３２４ａ、３２４ｂおよび３２４ｃが直列に介挿されている。そして、抵抗３２４ａおよび３２４ｂの共通接続点はスイッチ３２６ａを介してオペアンプ３２２ａの出力端に接続されており、抵抗３２４ｂおよび３２４ｃの共通接続点はスイッチ３２６ｂを介してオペアンプ３２２ａの逆相入力端に接続されている。
【００３２】
オペアンプ３２２ｂの出力端と逆相入力端の間にはキャパシタ３２８ｂが介挿されている。オペアンプ３２２ｂの逆相入力端およびキャパシタ３２８ｂの共通接続点とオペアンプ３２２ｂの出力端の間には、抵抗３２４ｄ、３２４ｅおよび３２４ｆが直列に介挿されている。そして、抵抗３２４ｅおよび３２４ｆの共通接続点はスイッチ３２６ｃを介してオペアンプ３２２ｂの出力端に接続されており、抵抗３２４ｄおよび３２４ｅの共通接続点はスイッチ３２６ｄを介してオペアンプ３２２ｂの逆相入力端に接続されている。
【００３３】
そして、オペアンプ３２２ａの逆相入力端とオペアンプ３２２ｂの逆相入力端の間には抵抗３２４ｇ、３２４ｈおよび３２４ｉが直列に介挿されている。抵抗３２４ｇおよび３２４ｈの共通接続点はスイッチ３２６ｅを介してオペアンプ３２２ｂの逆相入力端に接続されており、抵抗３２４ｈおよび３２４ｉの共通接続点はスイッチ３２６ｆを介してオペアンプ３２２ａの逆相入力端に接続されている。
【００３４】
スイッチ３２６ａ〜３２６ｆの各々は、Ｈレベルの帯域制御信号ＳＢを与えられた場合にはオンとなり、Ｌレベルの帯域制御信号ＳＢを与えられた場合にはオフとなる。スイッチ３２６ａ〜３２６ｆの全てがオフとされた状態では、オペアンプ３２２ａの出力端と逆相入力端の間に抵抗３２４ａ、３２４ｂおよび３２４ｃが直列に、オペアンプ３２２ｂの出力端と逆相入力端の間に抵抗３２４ｄ、３２４ｅおよび３２４ｆが直列に、オペアンプ３２２ａおよび３２２ｂの各々の逆相入力端の間に抵抗３２４ｇ、３２４ｈおよび３２４ｉが直列に接続された状態となる。つまり、スイッチ３２６ａ〜３２６ｆの全てがオフとされた状態では、オペアンプ３２２ａ、抵抗３２４ａ〜３２４ｃ、抵抗３２４ｇ〜３２４ｉおよびキャパシタ３２８ａによって、入力抵抗３ｒ、帰還抵抗３Ｒ、容量Ｃの負帰還型アクティブローパスフィルタが形成される。同様に、オペアンプ３２２ｂ、抵抗３２４ｄ〜３２４ｆ、抵抗３２４ｇ〜３２４ｉおよびキャパシタ３２８ｂによって、入力抵抗３ｒ、帰還抵抗３Ｒ、容量Ｃの負帰還型アクティブローパスフィルタが形成される。
【００３５】
これに対して、スイッチ３２６ａ〜３２６ｆの全てがオンとされた状態では、オペアンプ３２２ａの出力端と逆相入力端の間に抵抗３２４ａ、３２４ｂおよび３２４ｃが並列に、オペアンプ３２２ｂの出力端と逆相入力端の間に抵抗３２４ｄ、３２４ｅおよび３２４ｆが並列に、オペアンプ３２２ａおよび３２２ｂの各々の逆相入力端の間に抵抗３２４ｇ、３２４ｈおよび３２４ｉが並列に接続された状態となる。つまり、スイッチ３２６ａ〜３２６ｆの全てがオンとされた状態では、オペアンプ３２２ａ、抵抗３２４ａ〜３２４ｃ、抵抗３２４ｇ〜３２４ｉおよびキャパシタ３２８ａによって、入力抵抗ｒ／３、帰還抵抗Ｒ／３、容量Ｃの負帰還型アクティブローパスフィルタが形成される。同様に、オペアンプ３２２ｂ、抵抗３２４ｄ〜３２４ｆ、抵抗３２４ｇ〜３２４ｉおよびキャパシタ３２８ｂによって、入力抵抗ｒ／３、帰還抵抗Ｒ／３、容量Ｃの負帰還型アクティブローパスフィルタが形成される。
【００３６】
上記各負帰還型アクティブローパスフィルタのカットオフ周波数（すなわち、増幅器３２０により増幅可能な周波数帯域の上限周波数）は帰還抵抗の抵抗値と容量Ｃの積の逆数に応じた値となり、増幅率は入力抵抗と帰還抵抗の比に応じた値となる。スイッチ３２６ａ〜３２６ｆの全てをオフとした状態の帰還抵抗は３Ｒであり、スイッチ３２６ａ〜３２６ｆの全てをオンとした状態の帰還抵抗はＲ／３である。したがって、スイッチ３２６ａ〜３２６ｆの全てをオンとした状態のほうが、増幅器３２０の増幅可能な周波数帯域は広くなる。つまり、スイッチ３２６ａ〜３２６ｆの全てをオンにすると増幅器３２０は広帯域で動作し、スイッチ３２６ａ〜３２６ｆの全てをオフにすると増幅器３２０は狭帯域で動作する。また、スイッチ３２６ａ〜３２６ｆの全てをオンにした状態と、スイッチ３２６ａ〜３２６ｆの全てをオフにした状態とで、各負帰還型アクティブローパスフィルタにおける入力抵抗と帰還抵抗の比は変化せず、増幅器３２０の増幅率は変化しない。つまり、本実施形態の増幅器３２０では、スイッチ３２６ａ〜３２６ｆの全てのオン／オフを一斉に切り換えることによって、増幅率を一定に保ちつつ、増幅可能な帯域幅の切り換え（広帯域と狭帯域の２段階切り換え）を行うことができる。
【００３７】
図６では詳細な図示を省略したが本実施形態の信号処理装置においても、制御部１３０は、電源投入時にセンサ２０−１を選択して一定時間Ｔに亙ってＨレベルの帯域制御信号ＳＢを出力し、その後、Ｌレベルの帯域制御信号ＳＢを出力する。このため、増幅器３２０は、センサ２０−１からの信号入力の開始から一定時間Ｔの間は広帯域で動作し、その後、狭帯域で動作する。したがって、本実施形態によっても、増幅器３２０の出力信号が安定するまでに要する時間が長くなることを避けつつ、Ｓ／Ｎ比の低下を回避することが可能になる。なお、本実施形態では、増幅器３２０を形成する各負帰還型アクティブローパスフィルタにおける入力抵抗と帰還抵抗の比を一定に保ちつつ帰還抵抗の大きさを切り換えることで増幅器３２０の帯域幅を切り換えたが、各負帰還型アクティブローパスフィルタにおける入力抵抗および帰還抵抗の各々の抵抗値を固定値とし、容量Ｃの大きさを切り換えることで帯域幅の切り換えを実現しても良い。
【００３８】
＜４．変形例＞
本発明は上述した各実施形態に限定されるものではなく、例えば、以下に示す各種の変形が可能である。
（１）上述した第１および第２実施形態においては、差動増幅部に流れる電流の電流値を広帯域動作時の電流値と狭帯域動作時の電流値の２段階切り換えとしたが、多段階切り換えとしても良い。また、上述した第３実施形態における入力抵抗および帰還抵抗の抵抗値の切り換えを多段階切り換えとしても良い。
【００３９】
（２）上記実施形態では、帯域幅の切り換えが可能な増幅器の帯域切り換えを行うための制御部を当該増幅器とは別個に設けた。しかし、増幅器への信号入力開始を検知して帯域切り換えを行う制御部を増幅器に内蔵させても良く、また、内部状態の変化を検知して帯域切り換えを行う制御部を増幅器に内蔵させても良い。
【００４０】
（３）上述した各実施形態では、ＭＯＳトランジスタを使用した回路構成について説明したが、ＭＯＳトランジスタに限らず、バイポーラトランジスタなどの他の種類のトランジスタを使用して回路を構成してもよい。
【００４１】
（４）上記各実施形態では、増幅器への信号入力元となるセンサが加速度センサまたは地磁気センサである場合について説明したが、ジャイロセンサなどの他のセンサを用いても勿論良い。また、増幅器への信号入力元となるセンサが複数設けられていることは必須ではなく１つであっても良い。
【符号の説明】
【００４２】
１０…信号処理装置、２０−ｎ（ｎ＝１〜４）…センサ、３０…Ａ／Ｄ変換器、１１０−ｎ（ｎ＝１〜４），１１２−ｎ（ｎ＝１〜４）…スイッチ、１２０，３２０…増幅器、１３０…制御部、１２２，２２２，３２２a，３２２ｂ…オペアンプ、１２１０…差動増幅回路、１２２０…出力回路、１２３０，２２３０…電流制御部。
【図１】
2014107730.tif 000003
【図２】
2014107730.tif 000004
【図３】
2014107730.tif 000005
【図４】
2014107730.tif 000006
【図５】
2014107730.tif 000007
【図６】
2014107730.tif 000008
【図７】
2014107730.tif 000009